(57)【特許請求の範囲】
【請求項１】
窓枠部材、筐体、ＬＣＤ部材、基板部材のそれぞれを基本部材とし、これら基本部材を窓枠部材・筐体・ＬＣＤ部材・基板部材の順に基本配列し、この基本配列に他部品を適宜組み合わせて構成する移動体通信端末装置において、前記筐体を介在させて前記窓枠部材と前記ＬＣＤ部材とを係合する構成からなる表示部位置決め構造を具備したことを特徴とする移動体通信端末装置。
【請求項２】
請求項１に記載の移動体通信端末装置において、介在する前記筐体が有する貫通孔を挿通して前記窓枠部材と前記基板部材とを凹凸係合する構成からなる表示部位置決め構造を具備したことを特徴とする移動体通信端末装置。
【発明の詳細な説明】
【０００１】
【発明の属する技術分野】
本発明は、携帯電話機、携帯無線機、ＰＨＳ、トランシーバ、コードレス電話機などの移動体通信端末装置に関する。
【０００２】
【従来の技術】
従来の移動体通信端末装置のうち、ここではその代表例として携帯電話無線機を取り上げる。従来の携帯電話無線機の構造は、図４に示すように、窓枠部材１、筐体２、ＬＣＤ部材３、基板部材４のそれぞれを基本部材とし、これら基本部材を窓枠部材１・筐体２・ＬＣＤ部材３・基板部材４の順に基本配列し、この基本配列に他部品を適宜組み合わせて構成されている。この装置の中でも表示部の位置決め構造といわれるのは、1)窓枠部材（フロントグラス）、2)筐体、3)ＬＣＤ部材、4)基板部材の主要４部材のそれぞれの関係から成り立っている構造である。
【０００３】
実際の組み立てでは、装置の表示部の位置は、窓枠部材１（フロントグラス）とＬＣＤ部材３との関係のみならず、それぞれが連結している筐体２および基板部材４の連携した構成が、製品を組み立て完成させる上で重要となっている。図５には従来実施していた組み立て標準を示している。具体的な組み立て手順としては、▲１▼窓枠部材１（フロントグラス）と筐体２、▲２▼筐体２と基板部材４、▲３▼ＬＣＤ部材３と基板部材４の３段階でそれぞれ組み立てを行ったのち、▲１▼と▲２▼と▲３▼を合わせて装置の表示部を構成する。すなわち、▲１▼▲２▼▲３▼それぞれの段階で段階別に寸法公差（寸法許容数値、規格値など）があるので、それらはすべてクリアーしなければならず、その後▲１▼▲２▼▲３▼の組み合わせることにより、窓枠部材１（フロントグラス）とＬＣＤ部材３との位置が最終的に決まることになっていた。
【０００４】
【発明が解決しようとする課題】
しかしながら、▲１▼窓枠部材（フロントグラス）と筐体、▲２▼筐体と基板部材、▲３▼基板部材とＬＣＤ部材、それぞれの組み立て段階で段階別に寸法公差（寸法許容数値、規格値）があってそれを満足したとしても、▲１▼と▲２▼と▲３▼を組み合わせていき、窓枠部材１（フロントグラス）とＬＣＤ部材３との位置が決まるにあたって組み立て寸法にばらつきが出てしまい、最終的には寸法許容数値を満足しなくなってしまうことがあった。
本発明は上記の点に鑑みなされたもので、移動体通信端末装置の表示部位置決めを容易にし、製造管理がしやすく、簡単な構造で表示部の寸法公差の影響を小さくし、寸法精度が高く、表示部のずれの少ない移動体通信端末装置を提供することを目的とする。
【０００５】
【課題を解決するための手段】
本発明は上述の課題を解決するために、窓枠部材、筐体、ＬＣＤ部材、基板部材のそれぞれを基本部材とし、これら基本部材を窓枠部材・筐体・ＬＣＤ部材・基板部材の順に基本配列し、この基本配列に他部品を適宜組み合わせて構成する移動体通信端末装置において、前記筐体を介在させて前記窓枠部材と前記ＬＣＤ部材とを係合する構成からなる表示部位置決め構造を具備した移動体通信端末装置とした。
また、この移動体通信端末装置において、介在する前記筐体が有する貫通孔を挿通して前記窓枠部材と前記基板部材とを凹凸係合させた構成からなる表示部位置決め構造を具備させた。
【０００６】
【発明の実施の形態】
以下、添付図面を参照して本発明による移動体通信端末装置の実施の形態を詳細に説明する。
それぞれの図面は次のとおりである。図１は本発明による移動体通信端末装置の実施の形態を示す斜視図である。図２は図１に示した移動体通信端末装置の表示部位置決め構造の要部を示す断面図である。図３は移動体通信端末装置の表示部位置決め構造の要部の他の実施の形態を示す断面図である。図４は従来の移動体通信端末装置のうちの携帯電話無線機の表示部側断面図である。図５従来の移動体通信端末装置のうち携帯電話無線機の表示部組み立て手順を示す説明図である。
【０００７】
図１に示した実施の形態は、移動体通信端末装置の中の一例としての携帯電話機に関するものである。この装置を構成する基本的な部材は、図１に示すように、窓枠部材１、筐体２（前面筐体）、ＬＣＤ部材３、基板部材４であるが、これに後面筐体（図示しない）を加え、他にも種々多数の部品を適宜組み合わせて装置全体を構成する。この装置の中でも表示部の位置決めに関する主な構成は、窓枠部材１、筐体２（前面筐体）、ＬＣＤ部材３、基板部材４であり、このとおりの順に配列し配設した構成が基本になっている。
ここでは、窓枠部材１とＬＣＤ部材３とが係合するが、２つの部材の間に筐体２が挟まるように介在し、筐体２に穿設した貫通孔を挿通して、窓枠部材１とＬＣＤ部材３とが凹凸係合している。
このようにすれば、窓枠部材１、筐体２（前面筐体）、ＬＣＤ部材３の３部材で表示部の位置が確定できる。製品の製造にあたり表示部の位置を確定させるには、基本構成３部材のみの組み合わせ係合だけを考慮すればよく、基板部材４の影響はなくなる。
【０００８】
なお、本発明で用いる「係合」とは、構成部材相互の位置関係が定まる係わり合いを言い、従来からある公知の構成部材どおしの取り付け方や合わせ方などの手段は、本発明の係合としてすべて適用できる。すなわち、係着・嵌合・掛合・掛止・結合・接合などの適宜の技術的手段を選択して適用して設計をすればよい。
【０００９】
図２は図１に示した装置の表示部位置決め構造の要部を示す断面図である。これで見られるとおり、表示部の位置は、窓枠部材１の係合部１ａ、筐体２（前面筐体）の貫通孔２ａ、ＬＣＤ部材３の係合部３ａの３個所の位置関係で決まってくる。図１で見ると、貫通孔２ａの孔の数は２穴で、その形状は丸形となっているが、孔の数は１つでも３個以上でもよく、形状は四角形・三角・長方形など種々考えられる。
また、窓枠部材１の係合部１ａとＬＣＤ部材３の係合部３ａの係合は、ＬＣＤ部材３の係合部３ａの凹部にＬＣＤ部材３の係合部３ａの凸部が係合する凹凸係合で示しているが、特にこれに限定されるものではなく。凹部凸部を逆にしてＬＣＤ部材３の係合部３ａに凸部を、ＬＣＤ部材３の係合部３ａを凹部を形成してもいい。また、係合させるに当たっては、凹凸係合にこだわることなく、従来から周知・公知の適宜の手段を任意に選択して適用すればよい。
【００１０】
図１において、筐体２は窓枠部材１を収納する窓枠部材収納部２ｂを内設しており、窓枠部材１は窓枠部材収納部２ｂに収納されるように配設される。ここで、窓枠部材１は窓枠部材収納部２ｂで寸法公差を定めて係合させ位置決定しておけば、筐体２の貫通孔２ａは遊びのある遊嵌式の挿通孔にしてもよい。また、窓枠部材１と筐体２は遊びを持たせて配設し位置決めさせないでおき、貫通孔２ａを挿通する凹凸係合によって位置決めすることもできる。
【００１１】
図３は移動体通信端末装置の表示部位置決め構造要部の他の実施の形態を示す断面図である。ここでは窓枠部材１と筐体２とを係合し位置決めし、さらに筐体２とＬＣＤ部材３とを係合して位置決めしている。図３では、係合の手段として、四角箱蓋状係合や腕状フック状掛止を意図しているが、前述したとおり従来から知られた適宜の手段を選択して適用すればよい。
【００１２】
【発明の効果】
このように本発明によれば、携帯電話機等の移動体通信端末装置において、
従来４部材の組み合わせでしかも複雑な工程で位置決めしていた表示部の構成が、３部材で容易に位置決めができるようになった。また、製造工程管理がしやすく、簡単な構造で表示部の寸法公差の影響を小さくでき、寸法精度が高く、表示部ずれの少なく、価格的にも安価にできるなどの多くの利点を有する移動体通信端末装置を得ることができた。
【図面の簡単な説明】
【図１】図１は本発明による移動体通信端末装置の実施の形態を示す斜視図。
【図２】図２は図１に示した移動体通信端末装置の表示部位置決め構造の要部を示す断面図。
【図３】図３は移動体通信端末装置の表示部位置決め構造の要部の他の実施の形態を示す断面図。
【図４】図４は従来の移動体通信端末装置のうちの携帯電話無線機の表示部側断面図。
【図５】図５従来の移動体通信端末装置のうち携帯電話無線機の表示部組み立てを示す説明図。
【符号の説明】
１    窓枠部材（フロントグラス）
１ａ  係合部
２    筐体
２ａ  筐体貫通孔
２ｂ  窓枠部材収納部
２ｃ  係合部
３    ＬＣＤ部材
３ａ  係合部
３ｂ  係合部凹部
４    基板部材
【図１】
0003682202.tif 000002
【図２】
0003682202.tif 000003
【図３】
0003682202.tif 000004
【図４】
0003682202.tif 000005
【図５】
0003682202.tif 000006